(57)【要約】  ソフトハンドオーバにおいて現在用いられているＲＲＣ活性セット更新メッセージは，サービス提供ＨＳ−ＤＳＣＨセル変更に用いることができるＨＳ−ＤＳＣＨ関連情報を含まないので，サービス提供ＨＳ−ＤＳＣＨセル変更を実行するためにＵＥ（１０）とＲＮＣ（２０）との間で別の無線ベアラ制御手続が必要である。サービス提供ＨＳ−ＤＳＣＨセル変更に適用可能なＨＳ−ＤＳＣＨ関連情報をＲＲＣの活性セット更新メッセージ（３２）に加えれば，不必要な無線ベアラ制御手続が避けられ，現在のメッセージ方法の欠点が克服される。
2008514151.tif 000002
【特許請求の範囲】
【請求項１】
無線通信システムのネットワーク要素（１０）において実行する方法であって，
ユーザ装置のためにサービス提供高速専用共有チャネルセル変更を行うことを判断するステップ（２４，２６）と，
ネットワーク要素と前記無線通信システムの前記ユーザ装置との間の無線インタフェースを介して，活性セット更新メッセージによって，前記サービス提供高速専用共有チャネルセル変更に関する情報を伝送するステップ（３２）と，
を有する方法。
【請求項２】
前記無線通信システムの前記ネットワーク要素（１０）において実行する方法であって，
前記ネットワーク要素においてユーザ装置（１０）から測定報告（２２）を受信するステップ（３０２，３０２ａ）と，
前記サービス提供高速専用共有チャネルセル変更及び活性セット更新を行うために，前記ネットワーク要素において判断（２４，２６）を行うことによって，前記の判断ステップを実行するステップと，
新規セルにおいて，無線リンク（３０６，３０８，３０８ａ）がサービス提供高速専用共有チャネル無線リンクとして動作するように準備するステップと，
前記ネットワーク要素から前記ユーザ装置へ，前記活性セット更新メッセージ（３２）を送信することによって前記の伝送ステップを実行し，前記活性セット更新メッセージは高速専用共有チャネルセル変更に関する情報を含むステップと，
前記無線ネットワークコントローラにおいて，前記ユーザ装置から活性セット更新完了メッセージ（３４）を受信するステップと，
前記新規セルの無線リンクにおいて，フレームプロトコル（３１６，３１８，３２０，３１６ａ，３１８ａ，３２０ａ）を開始するステップと，
を更に有する請求項１に記載の方法。
【請求項３】
ネットワーク要素であって，
ユーザ装置のために高速専用共有チャネルセル変更を行うことを判断する手段（５０４）と，
前記ネットワーク要素と前記ユーザ装置との間の無線インタフェースを介して，活性セット更新メッセージによって，前記高速専用共有チャネルセル変更に関連する情報を伝送する手段（５０８）と，
を備えるネットワーク要素（１０）。
【請求項４】
ネットワーク要素であって，
前記無線ネットワークコントローラにおいて，ユーザ装置から測定報告を受信する受信器（５０２）であって，前記の判断器（５４０）は，前記ネットワーク要素において高速専用共有チャネルセル変更及び活性セット更新を行う判断を行うためのものとする受信器と，
新規セルにおいて無線リンクを高速専用ダウンリンク共有チャネル無線リンクとして動作させるように準備する準備器（５０６）であって，前記の伝送手段は前記ネットワーク要素から前記ユーザ装置へ前記活性セット更新メッセージを送信する送信器（５０８）を備え，前記活性セット更新メッセージは前記高速専用共有チャネルセル変更についての情報を含む準備器と，
前記無線ネットワークコントローラにおいて，前記ユーザ装置から活性セット更新完了メッセージ（３４）を受信する前記受信器と，
前記新規セルの無線リンクにおいてフレームプロトコルを開始させる始動器（５２０）と，
を更に備える請求項３に記載のネットワーク要素。
【請求項５】
ユーザ装置において実行する方法であって，
サービス提供高速専用共有チャネルセル変更に関する情報を有する活性セット更新メッセージ（３２）を受信するステップ（２００）と，
前記ユーザ装置が新規高速共有チャネルセルで動作するように構成するステップのために，前記情報のための前記活性セット更新メッセージを検査するステップ（５３２）と，
を有する方法。
【請求項６】
前記ユーザ装置において実行する方法であって，
前記活性セットに無線リンクを追加する，又は削除する，若しくは双方を行う前記活性セット更新メッセージ（３２）を無線ネットワークコントローラ（２０）から受信するステップ（２００）であって，前記の検査ステップは，前記サービス提供高速専用共有チャネルセル変更に関する情報のために前記活性セット更新メッセージを検査するステップ（２１０，２１０ａ，２１０ｃ）を含み，前記の構成ステップは，前記の新規サービス提供高速専用共有チャネルセルで動作するように前記ユーザ装置を構成するステップ（２１６，２１６ａ，２１６ｃ）を含む受信ステップと，
活性セットに無線リンクを追加するステップ（２０８，２０８ａ，２０８ｂ），又は削除するステップ（２２４，２２４ｂ，２２４ｃ），若しくは双方を行うステップと，
前記ユーザ装置から前記無線ネットワークコントローラへ活性セット更新完了メッセージ（３４）を送信するステップ（２９０）と，
を更に有する請求項５に記載の方法。
【請求項７】
ユーザ装置であって，
サービス提供高速専用共有チャネルセル変更に関する情報を有する活性セット更新メッセージ（３２）を受信する手段（５３０）と，
前記活性セット更新メッセージに応答して前記ユーザ装置において活性セット更新を実行する手段（５６０）と，
活性セット更新完了メッセージ（３４）を送信する手段（５３８）と，
を備えるユーザ装置。
【請求項８】
ユーザ装置であって，
前記活性セット更新メッセージは，前記活性セットに無線リンクを追加する，又は削除する，若しくは双方を行う無線ネットワークコントローラからのメッセージであり，
前記活性セット更新を実行する前記の手段は，
サービス提供高速専用ダウンリンク共有チャネル（ＨＳ−ＤＳＣＨ）セル変更に関する情報のために前記活性セット更新メッセージを検査する検査器（５３２）と，
新規サービス提供高速専用ダウンリンク共有チャネルセルで動作するように前記ユーザ装置を構成する構成モジュール（５３４）と，
活性セットに無線リンクを追加する，又は削除する，若しくは双方を行う追加及び削除モジュール（５３６）と，
を備える請求項７に記載のユーザ装置（１０）。
【請求項９】
方法であって，
サービス提供高速専用共有チャネルセル変更に関する情報を，ネットワーク要素（２０）からユーザ装置（１０）へ，無線インタフェースを介して活性セット更新メッセージによって伝送するステップ（３２）と，
前記セル変更完了に関する情報を，前記ユーザ装置から前記ネットワーク要素へ，無線インタフェースを介して伝送するステップ（３４）と，
を有する方法。
【請求項１０】
システムであって，
サービス提供高速専用共有チャネルセル変更に関する情報を，ネットワーク要素からユーザ装置へ，無線インタフェースを介して活性セット更新メッセージによって伝送する手段（５３８）と，
前記セル変更完了に関する情報を，前記ユーザ装置から前記ネットワーク要素へ，無線インタフェースを介して伝送する手段（５０８）と，
を備えるシステム。
【請求項１１】
システムであって，
多くの相互接続された無線ネットワークコントローラ（２０）を備え，各無線ネットワークコントローラは，
前記無線ネットワークコントローラにおいてユーザ装置（１０）から測定報告（２２）を受信する受信器（５０２）と，
前記無線ネットワークコントローラにおいて高速専用共有チャネルセル変更及び活性セット更新を行う判断を行う判断器（５０４）と，
新規セルにおいて無線リンクが高速専用ダウンリンク共有チャネル無線リンクとして動作するように準備する準備器（５０６）であって，前記ネットワーク要素から前記ユーザ装置へ前記活性セット更新メッセージの形態で情報を伝送する前記の伝送手段（５０８）も同様に備え，前記活性セット更新メッセージは前記高速専用共有チャネルセル変更についての情報を含む準備器と，
前記ユーザ装置から活性セット更新完了メッセージ（３４）として前記セル変更の完了に関する前記情報も受信する前記受信器と，
前記新規セルの無線リンクにおいてフレームプロトコルを開始させる始動器（５２０）と，
を備える請求項１０に記載のシステム。
【請求項１２】
システムであって複数のユーザ装置（１０）を更に備え，各ユーザ装置は，
前記無線ネットワークコントローラから，前記活性セットに無線リンクを追加する，又は削除する，若しくは双方を行う前記活性セット更新メッセージ（３２）を受信する受信器（５３０）と，
サービス提供高速専用ダウンリンク共有チャネル（ＨＳ−ＤＳＣＨ）セル変更に関する情報のための前記活性セット更新メッセージを検査する検査器（５３２）と，
前記ユーザ装置が新規サービス提供高速専用共有チャネルセルで動作するように構成する構成器（５３４）と，
活性セットに無線リンクを追加する，又は削除する，若しくは双方を行う追加及び削除モジュール（５３６）と，
前記ユーザ装置から前記無線ネットワークコントローラへ，前記活性セット更新完了メッセージを送信する送信器（５３８）と，
を備える請求項１１に記載のシステム。
【請求項１３】
ユーザ装置（１０）において用いるデバイスであって，
サービス提供高速専用共有チャネルセル変更に関する情報のための活性セット更新メッセージ（３２）を検査する手段（５３２）と，
前記ユーザ装置が用いる活性セットにセルを追加する，又は削除する，若しくは双方を行う手段と，
を備えるデバイス（５６０）。
【請求項１４】
前記ユーザ装置が，もう１つのサービス提供高速専用共有チャネルセルで動作するように構成する手段（５３４）を更に備える請求項１３に記載のデバイス。
【請求項１５】
ネットワーク要素（２０）において用いるデバイスであって，
サービス提供高速専用共有チャネルセル変更を行うように判断する手段（５０４）と，
セルが前記サービス提供高速専用共有チャネルセルとして動作するように準備する手段（５０６）と，
を備えるデバイス（５５０）。
【請求項１６】
ネットワーク要素とユーザ装置との間の無線インタフェースを介して活性セット更新メッセージによって，サービス提供高速専用共有チャネルセル変更に関する情報を伝送する（３２）際に用いるための，計算機可読媒体に少なくとも一時的に格納されるデータ構造。
【請求項１７】
請求項１に記載の各ステップを実行するための計算機可読媒体に格納された計算機プログラム。
【請求項１８】
請求項５に記載の各ステップを実行するための計算機可読媒体に格納された計算機プログラム。
【請求項１９】
請求項１に記載の各ステップを実行するための集積回路。
【請求項２０】
請求項５に記載の各ステップを実行するための集積回路。
【発明の詳細な説明】
【技術分野】
【０００１】
本発明は移動体無線デバイスのハンドオーバ機構に関し，特にサービス提供高速専用ダウンリンク共有チャネル（ＨＳ−ＤＳＣＨ）セル変更において変更を実行するために用いられる信号通知の簡略化に関する。
【背景技術】
【０００２】
第３世代パートナシッププロジェクト（３ＧＰＰ）第５版（Ｒｅｌ５）は，新しいＨＳ−ＤＳＣＨトランスポートチャネルを導入した。
【０００３】
３ＧＰＰ第６版技術仕様書，TS 25.308 v6.1.0，２００４年３月，以降は，第９章に移動体評価ハンドオーバ機構がＣＥＬＬ＿ＤＣＨ状態における無線リソース制御（ＲＲＣ）のコネクション移動性を提供することが述べられている（ＲＲＣ状態の概要及びＧＳＭを含む状態遷移については，３ＧＰＰ，TS 25.331 v6.2.0，２００４年６月，第７．１章を参照されたい）。移動性手続は，特定のユーザ装置（ＵＥ）に割り当てられる高速物理専用ダウンリンク共有チャネル（ＨＳ−ＰＤＳＣＨ）が，ＵＥに指定された各無線リンクのうち１つ，すなわちサービス提供ＨＳ−ＤＳＣＨ無線リンク，だけであることに関係する。サービス提供ＨＳ−ＤＳＣＨ無線リンクに関連付けられたセルは，サービス提供ＨＳ−ＤＳＣＨセルと定義される。
【０００４】
活性セット更新（ＡＳＵ）（３ＧＰＰ，TS 25.331 v6.2.0，第６版，２００４年６月，第８．３．４章，「活性セット更新」を参照），及びサービス提供ＨＳ−ＤＳＣＨセル変更（３ＧＰＰ，TS 25.308 v6.1.0，第６版，２００４年３月，第９章，「移動性手続」を参照）の条件が同時に有効な場合，すなわちサービス提供ＨＳ−ＤＳＣＨセル動作がほかの活性セットセルに移動し，ＵＥのアクティブセットが修正される（新規セル（１Ａ）を追加，又は既存セルを新規セル（１Ｂ）で置き換える）場合，関連するＲＲＣ手続（活性セット更新（ＡＳＵ）及び無線ベアラ制御）は別個に，次々に行わなければならない。シナリオによって，ＡＳＵ手続又は無線ベアラ制御手続のいずれかが最初に行われる。ＡＳＵが最初に行われるときは，無線ベアラ制御手続は遅らされ，ＨＳ−ＤＳＣＨ送信に機能劣化を招く。ＨＳ−ＤＳＣＨ送信は，コネクションを維持するために重要であり，特にＳＲＢがＨＳ−ＤＳＣＨ（断片的ＤＰＣＨを導入するとき必要）に対応付けられるとき重要である。ほかのシナリオにおいては，必要なＨＳ−ＤＳＣＨ情報を含む無線ベアラ制御手続を最初に行う必要があり，次にＡＳＵが行われる。これはＲＮＣがＡＳに新規セルを追加する前に，現在のサービス提供ＨＳ−ＤＳＣＨをＵＥのＡＳから削除する必要があることによる。これはＡＳＵにかなり長い遅延をもたらし，コネクションを危うくする可能性がある。いくつかの場合この遅延は許容されず，ＡＳＵを最初に実行しなければならない。その代わりＨＳ−ＤＳＣＨ送信においてかなり長い中断を引き起こす。
【発明の開示】
【課題を解決するための手段】
【０００５】
本発明の第１態様によれば，無線通信システムのネットワーク要素において実行する方法が，ユーザ装置のためにサービス提供高速専用共有チャネルセル変更を行うことを判断するステップと，ネットワーク要素と前記無線通信システムの前記ユーザ装置との間の無線インタフェースを介して，活性セット更新メッセージにおいて，前記サービス提供高速専用共有チャネルセル変更に関する情報を伝送するステップと，を有する。方法は，前記ネットワーク要素においてユーザ装置から測定報告を受信するステップと，前記サービス提供高速専用共有チャネルセル変更及び活性セット更新を行うために，前記ネットワーク要素において判断を行うことによって，前記の判断ステップを実行するステップと，新規セルにおいて，無線リンクがサービス提供高速専用共有チャネル無線リンクとして動作するように準備するステップと，前記ネットワーク要素から前記ユーザ装置へ，前記活性セット更新メッセージを送信することによって前記の伝送ステップを実行し，前記活性セット更新メッセージは高速専用共有チャネルセル変更に関する情報を含むステップと，前記無線ネットワークコントローラにおいて，前記ユーザ装置から活性セット更新完了メッセージを受信するステップと，前記新規セルの無線リンクにおいて，フレームプロトコルを開始するステップと，を更に有してもよい。
【０００６】
本発明の第２態様によればネットワーク要素が，ユーザ装置のために高速専用共有チャネルセル変更を行うことを判断する手段と，前記ネットワーク要素と前記ユーザ装置との間の無線インタフェースを介した活性セット更新メッセージによって，前記高速専用共有チャネルセル変更に関連する情報を伝送する手段と，を備える。ネットワーク要素は，前記無線ネットワークコントローラにおいて，ユーザ装置から測定報告を受信する受信器であって，前記の判断器は，前記ネットワーク要素において高速専用共有チャネルセル変更及び活性セット更新を行う判断を行うためのものとする受信器と，新規セルにおいて無線リンクを高速専用ダウンリンク共有チャネル無線リンクとして動作させるように準備する準備器であって，前記の伝送手段は前記ネットワーク要素から前記ユーザ装置へ前記活性セット更新メッセージを送信する送信器を備え，前記活性セット更新メッセージは前記高速専用共有チャネルセル変更についての情報を含む準備器と，前記無線ネットワークコントローラにおいて，前記ユーザ装置から活性セット更新完了メッセージを受信する前記受信器と，前記新規セルの無線リンクにおいてフレームプロトコルを開始させる始動器と，を更に備えてもよい。
【０００７】
本発明の第３態様によれば，ユーザ装置において実行する方法が，サービス提供高速専用共有チャネルセル変更に関する情報を有する活性セット更新メッセージを受信するステップと，前記ユーザ装置が新規高速共有チャネルセルで動作するように構成するステップのために，前記情報のための前記活性セット更新メッセージを検査するステップと，を有する。本発明の第３態様の方法は，前記活性セットに無線リンクを追加する，又は削除する，若しくは双方を行う前記活性セット更新メッセージを無線ネットワークコントローラから受信するステップであって，前記の検査ステップは，前記サービス提供高速専用共有チャネルセル変更に関する情報のために前記活性セット更新メッセージを検査するステップを含み，前記の構成ステップは，前記の新規サービス提供高速専用共有チャネルセルで動作するように前記ユーザ装置を構成するステップを含む受信ステップと，活性セットに無線リンクを追加するステップ，又は削除するステップ，若しくは双方を行うステップと，前記ユーザ装置から前記無線ネットワークコントローラへ活性セット更新完了メッセージを送信するステップと，を更に有してもよい。
【０００８】
本発明の第４態様によればユーザ装置が，サービス提供高速専用共有チャネルセル変更に関する情報を有する活性セット更新メッセージを受信する手段と，前記活性セット更新メッセージに応答して前記ユーザ装置において活性セット更新を実行する手段と，活性セット更新完了メッセージを送信する手段と，を備える。前記活性セット更新メッセージは，前記活性セットに無線リンクを追加する，又は削除する，若しくは双方を行う無線ネットワークコントローラからのメッセージであってよく，前記活性セット更新を実行する前記の手段は，サービス提供高速専用ダウンリンク共有チャネルセル変更に関する情報のために前記活性セット更新メッセージを検査する検査器と，新規サービス提供高速専用ダウンリンク共有チャネルセルで動作するように前記ユーザ装置を構成する構成モジュールと，活性セットに無線リンクを追加する，又は削除する，若しくは双方を行う追加及び削除モジュールと，を備えてもよい。
【０００９】
本発明の第５態様によれば方法が，サービス提供高速専用共有チャネルセル変更に関する情報を，ネットワーク要素からユーザ装置へ，無線インタフェースを介して活性セット更新メッセージによって伝送するステップと，前記セル変更完了に関する情報を，前記ユーザ装置から前記ネットワーク要素へ，無線インタフェースを介して伝送するステップと，を有する。
【００１０】
本発明の第６態様によればシステムが，サービス提供高速専用共有チャネルセル変更に関する情報を，ネットワーク要素からユーザ装置へ，無線インタフェースを介して活性セット更新メッセージによって伝送する手段と，前記セル変更完了に関する情報を，前記ユーザ装置から前記ネットワーク要素へ，無線インタフェースを介して伝送する手段と，を備える。システムは，多くの相互接続された無線ネットワークコントローラを備えてもよく，各無線ネットワークコントローラは，前記無線ネットワークコントローラにおいてユーザ装置から測定報告を受信する受信器と，前記無線ネットワークコントローラにおいて高速専用共有チャネルセル変更及び活性セット更新を行う判断を行う判断器と，新規セルにおいて無線リンクが高速専用ダウンリンク共有チャネル無線リンクとして動作するように準備する準備器であって，前記ネットワーク要素から前記ユーザ装置へ前記活性セット更新メッセージの形態で情報を伝送する前記の伝送手段も同様に備え，前記活性セット更新メッセージは前記高速専用共有チャネルセル変更についての情報を含む準備器と，前記ユーザ装置から活性セット更新完了メッセージとして前記セル変更の完了に関する前記情報も受信する前記受信器と，前記新規セルの無線リンクにおいてフレームプロトコルを開始させる始動器と，を備えてもよい。システムは複数のユーザ装置を更に備えてもよく，各ユーザ装置は，前記無線ネットワークコントローラから，前記活性セットに無線リンクを追加する，又は削除する，若しくは双方を行う前記活性セット更新メッセージを受信する受信器と，サービス提供高速専用ダウンリンク共有チャネルセル変更に関する情報のための前記活性セット更新メッセージを検査する検査器と，前記ユーザ装置が新規サービス提供高速専用共有チャネルセルで動作するように構成する構成器と，活性セットに無線リンクを追加する，又は削除する，若しくは双方を行う追加及び削除モジュールと，前記ユーザ装置から前記無線ネットワークコントローラへ，前記活性セット更新完了メッセージを送信する送信器と，を備える。
【００１１】
本発明の第７態様によれば，ユーザ装置において用いるデバイスが，サービス提供高速専用共有チャネルセル変更に関する情報のための活性セット更新メッセージを検査する手段と，前記ユーザ装置が用いる活性セットにセルを追加する，又は削除する，若しくは双方を行う手段と，を備える。前記デバイスは，前記ユーザ装置がもう１つのサービス提供高速専用共有チャネルセルで動作するように構成する手段を更に備えてもよい。
【００１２】
本発明の第８態様によれば，ネットワーク要素において用いるデバイスが，サービス提供高速専用共有チャネルセル変更を行うように判断する手段と，セルが前記サービス提供高速専用共有チャネルセルとして動作するように準備する手段と，を備える。
【００１３】
本発明の第９態様によれば，ネットワーク要素とユーザ装置との間の無線インタフェースを介して活性セット更新メッセージによって，サービス提供高速専用共有チャネルセル変更に関する情報を伝送する際に用いるための，計算機可読媒体に少なくとも一時的に格納されるデータ構造が提供される。
【００１４】
本発明の第１０態様によれば，本発明の第１態様の各ステップを実行するための計算機可読媒体に格納された計算機プログラムが提供される。
【００１５】
本発明の第１１態様によれば，本発明の第３態様の各ステップを実行するための計算機可読媒体に格納された計算機プログラムが提供される。
【００１６】
ソフトハンドオーバにおいて現在用いられているＲＲＣ活性セット更新メッセージは，サービス提供ＨＳ−ＤＳＣＨセル変更に用いることができるＨＳ−ＤＳＣＨ関連情報を含まないので，サービス提供ＨＳ−ＤＳＣＨセル変更を実行するためにＵＥとＲＮＣとの間で別の無線ベアラ制御手続が必要である。サービス提供ＨＳ−ＤＳＣＨセル変更に適用可能なＨＳ−ＤＳＣＨ関連情報をＲＲＣの活性セット更新メッセージに加えれば，不必要な無線ベアラ制御手続が避けられ，現在の方法の欠点が克服される。
【００１７】
既存の活性セット更新（ＡＳＵ）手続を上記の機能性に対応するように修正することによって，サービス提供ＨＳ−ＤＳＣＨセル変更手続が改善される。したがって，サービス提供ＨＳ−ＤＳＣＨセル変更に関する別手続の信号通知が必要なくなり，より高速な手続が達成される。
【００１８】
さまざまな実現方法の長所（＋）及び短所（−）を次に示す。
＋ＡＳＵがより高速になる。ＡＳＵの前にサービス提供ＨＳ−ＤＳＣＨセル変更を行う必要がない。
＋転送すべきメッセージが少ない。
＋サービス提供ＨＳ−ＤＳＣＨセル変更において送信中断が短いか，又は完全に避けられる。
−ＡＳＵメッセージがより長くなる。
【００１９】
本発明のこれら又はほかの目的と，特徴と，利点とは，添付の図面に示されるとおり，発明を実施するための最良の形態の詳細な記述を参照することによってより明確になるであろう。
【発明を実施するための最良の形態】
【００２０】
略号の一覧（広範な一覧については３ＧＰＰ，TS 21.905を参照されたい）
３ＧＰＰ            第３世代パートナシッププロジェクト
活性セット          ＵＥとＵＴＲＡＮ接続点との間の特定の通信サービスにおいて，同時に関係する無線リンクのセット
ＡＳＵ              活性セット更新
ＣＰＩＣＨ          共通パイロットチャネル
Ｈ−ＲＮＴＩ        ＨＳ−ＤＳＣＨ無線ネットワーク一時識別子
ＨＳＤＰＡ          高速ダウンリンクパケット接続
ＨＳ−ＤＳＣＨ      高速ダウンリンク共有チャネル
ＨＳ−ＰＤＳＣＨ    高速物理ダウンリンク共有チャネル
ＨＳ−ＳＣＣＨ      高速共有制御チャネル
Ｉｕ                ＲＮＣ又はＢＳＣと３ＧＰＰコアネットワークとの間の相互接続点
Ｉｕｂ              ＲＮＣとノードＢとの間のインタフェース
Ｉｕｒ              ２つのＲＮＣ間の論理インタフェース
ＭＡＣ−ｈｓ        高速媒体接続制御
ＮＢＡＰ            ノードＢアプリケーション部
ノードＢ            １以上のセルとユーザ装置との間の無線送受信を行う論理ノード。ＲＮＣに向かうＩｕｂインタフェースを終端する。
ＲＢ                無線ベアラ
ＲＮＣ              無線ネットワークコントローラ
ＲＮＴＩ            無線ネットワーク一時識別子
ＲＲＣ              無線リソース制御
ＵＥ                ユーザ装置
ＵＴＲＡＮ          はん用地上無線接続ネットワーク
【００２１】
上記より示唆されるように，３ＧＰＰはサービス提供ＨＳ−ＤＳＣＨセル変更とは独立に活性セット更新を規定している。すなわちＨＳ−ＤＳＣＨ情報は活性セット更新では転送されず，別の無線ベアラ制御手続で転送される。活性セット更新の条件がサービス提供ＨＳ−ＤＳＣＨセル変更と同時に有効になるとき，２つのＲＲＣ手続は先行技術である活性セット更新手続及び無線ベアラ制御手続によって行わなければならない。適用可能な無線ベアラ制御手続は，無線ベアラ再構成か，トランスポートチャネル再構成か，物理チャネル再構成か，のいずれかである。
【００２２】
本発明によれば，結合した活性セット更新及びサービス提供ＨＳ−ＤＳＣＨセル変更が必要なとき，ＨＳ−ＤＳＣＨ情報がＲＲＣ活性セット更新メッセージで転送される。したがって別の無線ベアラ制御手続は必要ない。すなわちＲＮＣからＵＥへの
（ａ）ＲＲＣ無線ベアラ再構成メッセージ，
（ｂ）ＲＲＣトランスポートチャネル再構成メッセージ，又は
（ｃ）ＲＲＣ物理チャネル再構成メッセージ，
と対応する応答メッセージ
（ａ）ＲＲＣ無線ベアラ再構成完了メッセージ，
（ｂ）ＲＲＣトランスポートチャネル再構成完了メッセージ，又は
（ｃ）ＲＲＣ物理チャネル再構成完了メッセージ，
は不必要になる。
【００２３】
典型的な利用例は，周波数内報告イベント１Ｂ「主ＣＰＩＣＨが報告範囲を離れた」，又は１Ｃ「非活性主ＣＰＩＣＨが活性主ＣＰＩＣＨより良くなった」を含むＲＲＣ測定報告メッセージを無線ネットワークコントローラ（ＲＮＣ）に送信するＵＥである（これらのイベントの詳細については，すぐ後に続くパラグラフを参照されたい）。これらの報告イベントは活性セット更新手続を開始し，また問題の無線リンクがサービス提供ＨＳ−ＤＳＣＨ無線リンクのとき，サービス提供ＨＳ−ＤＳＣＨセル変更を開始する。これらの場合，ＲＲＣ活性セット更新メッセージがＨＳ−ＤＳＣＨ情報を含むときは，別の無線ベアラ制御手続は必要ない。ＵＥとＲＮＣとの間で２つの別のＲＲＣメッセージを送信することが不要になるので，これはより高速な手続と理解される。本発明によれば，セルが活性セットに追加されたとき，すなわちＵＥが報告イベント１Ａ「主ＣＰＩＣＨが報告範囲に入った」を送信するとき，活性セット更新及びサービス提供ＨＳ−ＤＳＣＨセル変更を結合した手続もまた適用可能である。
【００２４】
３ＧＰＰ，TS 25.331 v6.2.0，２００４年６月，第６版，第１４章「特定機能」，特に第１４．１章「周波数内測定」を参照すると，報告イベント１Ａ「主ＣＰＩＣＨ（共通パイロットチャネル）が報告範囲に入った」が第１４．１．２．１章に，報告イベント１Ｂ「主ＣＰＩＣＨが報告範囲を離れた」が第１４．１．２．２章に，報告イベント１Ｃ「非活性主ＣＰＩＣＨが活性主ＣＰＩＣＨより良くなった」が第１４．１．２．３章に記載されている。
【００２５】
本発明によれば，更に次の既存情報要素がＲＲＣ活性セット更新メッセージに選択情報要素（ＩＥ）として追加される（TS 25.331 v6.2.0，２００４年６月，第６版，第１０．２．１章「活性セット更新」を参照されたい）。
１．ＭＡＣ−ｈｓリセット指示子（TS 25.331，第１０．３．６．２４章）
２．サービス提供ＨＳ−ＤＳＣＨ無線リンク指示子（TS 25.331，第１０．３．６．２７章）
３．ＨＳ−ＳＣＣＨ情報（TS 25.331，第１０．３．６．３６ａ章）
４．新規Ｈ−ＲＮＴＩ（TS 25.331，第１０．３．３．１４ａ章）
５．ＨＡＲＱ情報（TS 25.331，第１０．３．５．７ａ章）
【００２６】
ＵＴＲＡＮにおいてはほとんどの場合，高速同期制御チャネル（ＨＳ−ＳＣＣＨ）及びハイブリッド自動再送要求（ＨＡＲＱ）構成がセル特定情報ではないと想定すると，サービス提供ＨＳ−ＤＳＣＨセル変更を実行するＲＲＣ活性セット更新メッセージには，典型的には上記ＩＥ１と，２と，４とだけを含む必要がある。
【００２７】
現在のサービス提供ＨＳ−ＤＳＣＨセルでもあるセルを活性セットから削除することをＲＮＣが判断し，活性セット更新手続を開始したとき，ＵＥは本発明によって，１つの手続で活性セット更新及びサービス提供ＨＳ−ＤＳＣＨセル変更を行う。
【００２８】
したがってＲＮＣはＲＲＣ活性セット更新メッセージをＵＥに送信し，ＵＥは手続が成功するとＲＲＣ活性セット更新完了メッセージで応答する。ＵＥは，ＡＳＵに加えて新規セルのＨＳ−ＤＳＣＨ情報も更新し，サービス提供ＨＳ−ＤＳＣＨセル変更を実行する。本発明はノードＢ内の場合及びノードＢ間の場合双方に適用できる（TS 25.308 v6.1.0，２００４年３月，第６版，第９．１章「移動性手続」を参照されたい）。
【００２９】
図１はＡＳＵ及びサービス提供ＨＳ−ＤＳＣＨセル変更を結合した手続のメッセージシーケンスであり，図１右側にある正方形ブロック１〜６の数字は，以下の番号付きパラグラフに対応する。この例はノードＢ内のサービス提供ＨＳ−ＤＳＣＨセル変更に関するものであるが，それに限定するものではない。
【００３０】
１）ＵＥ１０はＢＴＳ１６配下の２つのセル，セル１  １２及びセル２  １４を含む活性セットを有する。活性セットの最大サイズは２である（参照符号１７を参照されたい）。参照符号１８で示されるように，ＵＥ１０はＨＳ−ＤＳＣＨトランスポートチャネルに対応付けられた１つのＰＳ  ＮＲＴ無線ベアラを有するＣＥＬＬ＿ＤＣＨ状態にある。セル１  １２は現在のサービス提供ＨＳ−ＤＳＣＨセルである。
【００３１】
２）ＵＥは，セル１  １２に関する報告イベント１Ｂ「主ＣＰＩＣＨが報告範囲を離れた」に関して，線２２上に示すＲＲＣ測定報告をＲＮＣ２０内のＲＲＣに送信する。
【００３２】
３）ＲＮＣ２０は活性セットからセル１  １２を削除することを判断し（ステップ２４），セル１からセル２にサービス提供ＨＳ−ＤＳＣＨセル変更を行う（ステップ２６）。
【００３３】
４）ＲＮＣは線２８と，２９と，３０との上に示す信号を交換することによって，セル２  １４の無線リンクがサービス提供ＨＳ−ＤＳＣＨ無線リンクとして動作するように準備する。同期手続が適用される。
【００３４】
５）ＲＮＣはＵＥ１０に，線３２上に示すＲＲＣ活性セット更新メッセージを送信する。先行技術とは異なり，メッセージはＨＳ−ＤＳＣＨに関する情報，すなわちサービス提供ＨＳ−ＤＳＣＨ無線リンク指示子及び新規Ｈ−ＲＮＴＩを含む。ＵＥは活性セットからセル１を削除し，サービス提供ＨＳ−ＤＳＣＨセル変更を実行し，そして線３４上に示すＲＲＣ活性セット更新完了メッセージによって，手続の成功を肯定応答する。
【００３５】
６）ＲＮＣ２０は線３６上の要求を送信してセル１の無線リンクを削除し，次にセル１  １２は線３８上の信号によって削除手続の成功をＲＮＣに対して肯定応答する。
【００３６】
図２は，ＵＥから見た本発明による結合した活性セット更新及びサービス提供ＨＳ−ＤＳＣＨセル変更手続を示す。手続は，ＲＲＣ信号通知を行うＵＥの機能ブロックによって実行される。これらの機能エンティティの例は，例えばＵＥ及びＲＲＣ双方について，TS 25.331，第６版，v6.2.0，第４．２章，「ＲＲＣ階層モデル」の図４．２−１，「ＲＲＣのＵＥ側モデル」と，TS 25.301，第６版，v6.0.0，第５．５章，「ＣプレーンにおけるＲＲＣと下位階層との対話」と，図１０，「ＣプレーンにおけるＲＲＣと下位階層との対話」とに示されている。
【００３７】
図２に示した手続は，ノードＢ内の場合及びノードＢ間の場合双方に適用できる。無線リンクは，サービス提供ＲＮＣ又はドリフトＲＮＣのいずれかの制御下にあってよい。
【００３８】
１．ＨＳ−ＤＳＣＨトランスポートチャネルがＵＥに割り当てられる。ＲＮＣは，結合した活性セット更新及びサービス提供ＨＳ−ＤＳＣＨセル変更手続を実行することを判断し，ステップ２００に示すようにＵＥにＲＲＣ活性セット更新メッセージを送信する。これは線３２上のＡＳＵ信号を受信する図１のＵＥ１０に対応する。
【００３９】
２．コネクションの活性セットに次の修正，すなわち無線リンク追加２０２，無線リンク削除２０６，又は結合した無線リンク追加及び削除２０４のうち１つを行うようにＲＮＣがＣＥＬＬ＿ＤＣＨ状態にあるＵＥに指示するとき，活性セット更新手続が開始される。これらのステップ２０２，２０４，２０６は，ＵＥ１０がＲＮＣ２０の行った指示の種類を正確に判断しているものとして解釈される。
【００４０】
３．ＲＮＣがステップ２０２に示されるようにＲＮＣが無線リンク追加を指示したとＵＥが判断する場合，ＵＥは最初にステップ２０８の活性セットに無線リンクを最初に追加する。次にＵＥは，次に示すようにサービス提供ＨＳ−ＤＳＣＨセル変更手続に進む。
【００４１】
ｉ．判断ステップ２１０において，ＵＥはサービス提供ＨＳ−ＤＳＣＨ無線リンク指示子ＩＥ及び新規Ｈ−ＲＮＴＩ  ＩＥを検査する。それらが含まれているとき，サービス提供ＨＳ−ＤＳＣＨセル変更手続が実行される。ステップ２１２に示すようにＵＥは，サービス提供ＨＳ−ＤＳＣＨ無線リンク指示子が判定した無線リンク（ＲＬ）をサービス提供ＨＳ−ＤＳＣＨ無線リンクとして考える。更にステップ２１２に示すように，ＵＥは新規Ｈ−ＲＮＴＩの値を，物理層におけるＨＳ−ＤＳＣＨ受信手続のＵＥ識別情報として用いる。
【００４２】
ii．判断ステップ２１４において判定してＨＳ−ＳＣＣＨ情報ＩＥ及びＨＡＲＱ情報ＩＥが含まれているとき，ＵＥはＤＬスクランブル符号ＩＥによって受信されたスクランブル符号を適用して，サービス提供ＨＳ−ＤＳＣＨ無線リンクについてのＨＳ−ＳＣＣＨチャネル化符号ＩＥによってＨＳ−ＳＣＣＨを受信する。またＵＥはステップ２１６に示すように，プロセス数ＩＥで示されるＨＡＲＱプロセスの数によってＭＡＣ−ｈｓエンティティを構成し，各ＨＡＲＱプロセスにＩＤを指定する。
【００４３】
iii ．判断ステップ２１８において判定してＭＡＣ−ｈｓリセット指示子ＩＥが含まれていたときは，ＵＥはステップ２２０に示すとおりＭＡＣ−ｈｓエンティティをリセットする。次に判断ステップ２２２が実行され，結合したＲＬ削除及び追加を追加するかどうかを判断する（この理由は以下のセクション４を参照されたい）。
【００４４】
４．ステップ２０４においてＵＥが判定したように，ＲＮＣが「結合した」無線リンク追加及び削除を指示した場合は，ステップ２２６に示すように，ＵＥは最初に現在の活性セットのサイズを検査する。
【００４５】
ｉ．活性セットのサイズが最大許容値未満のときは，ＵＥは最初にステップ２０８に決められたとおり，活性セットに無線リンクを追加する。次にＵＥはサービス提供ＨＳ−ＤＳＣＨセル変更手続に進み，手続は接尾辞「ａ」を除いて前に説明した同一の参照符号で図２に示されたとおり，上記のセクション３ｉと，３iiと，３iii とに説明したステップによって実行される。最後にステップ２２２の実行後，ＲＮＣが結合したＲＬ削除及び追加を指示したという肯定的判定が行われ，ＵＥはステップ２２４に示すとおりＡＳから無線リンクを削除し，続いてステップ２９０においてＵＥがＲＮＣ内のＲＲＣに，ＡＳＵが完了したことを通知する。ステップ２２２において結合したＲＬ削除及び追加が指示されなかった，すなわちＲＮＣは単に（ステップ２０２において）無線リンク追加を指示した，ことが判定されたときは，ステップ２２４を実行せずに直接ステップ２９０が実行される。
【００４６】
ii．判断ステップ２２６において活性セットのサイズが最大許容値であることが判定され，ＲＬがステップ２２８においてサービス提供ＨＳ−ＤＳＣＨ無線リンク指示子ＩＥによって判定されて既に活性セットにあるときは，ＵＥはサービス提供ＨＳ−ＤＳＣＨセル変更手続に移り，手続は上記のセクション３ｉと，３iiと，３iiiとによって実行される。最後にＵＥはステップ２２４ｂ，２０８ｂに示すように無線リンクを削除及び追加し，次にステップ２９０が実行される。
【００４７】
iii ．図２のステップ２２６以下の各ステップ及び判断ステップ２２８の右にある各ステップに示すように，活性セットのサイズが最大許容値であるとき，ステップ２２８でＲＬがサービス提供ＨＳ−ＤＳＣＨ無線リンク指示子ＩＥによって判定され，活性セットにないことが判定されたときは，ＵＥはステップ２２４ａ，２０８ａに示すように無線リンクを削除及び追加する。次にＵＥはサービス提供ＨＳ−ＤＳＣＨセル変更に移り，手続は上述のセクション３ｉと，３iiと，３iii とに類似し，ステップ２１０ａと，２１２ａと，２１４ａと，２１６ａと，２１８ａと，２２０ａと，２２２ａとに示されたとおりに実行される。
【００４８】
５．ステップ２０６においてＵＥが判定したとおりＲＮＣが無線リンク削除を指示した場合は，ＵＥは判断ステップ２１０ｃ（判断ステップ２１０に類似）から始まるサービス提供ＨＳ−ＤＳＣＨセル変更手続に進み，次にセクション３ｉと，３iiと，３iii とにおけるステップ２１２，２１４，２１６，２１８，２２０と，上記セクション４ｉと，４iiと，４iii とにおけるステップ２１２ａ，２１４ａ，２１６ａ，２１８ａ，２２０ａで既に説明したものと類似の方法で実行される一連のステップ２１２ｃ，２１４ｃ，２１６ｃ，２１８ｃ，２２０ｃの実行に進む。最後にＵＥはステップ２２４ｃに示すように無線リンクを削除する。
【００４９】
６．図２に示した３つの並行した手続のうちどれを実行しても最後に，ＵＥはステップ２９０に示すように，図１の線３４上のメッセージ信号に対応するＲＲＣ活性セット更新完了メッセージを送信する。
【００５０】
図３は，図１の線２２上のＲＲＣ測定報告，報告イベント１Ｂ又は１Ｃが受信される場合の，ＲＮＣの観点からの機能性を示す図であり，報告イベントは，ステップ３０２に示すように活性セットからサービス提供ＨＳ−ＤＳＣＨセルを削除することになる。イベント１Ａと，１Ｂと，１Ｃとの詳細については，３ＧＰＰ，TS 25.922 v6.0.1，２００４年４月，「無線リソース管理戦略」を参照されたい。同期又は非同期手続のどちらかを用いることができる。無線リンクは，サービス提供ＲＮＣ又はドリフトＲＮＣのどちらかの制御下にある。
【００５１】
‐ステップ３０４に示すサービス提供ＨＳ−ＤＳＣＨセル変更に先立ってＢＴＳバッファ内のデータ量を最小限にするために，ＨＳ−ＤＳＣＨに対応付けられるＲＢのユーザプレーン送信は，現在のサービス提供ＨＳ−ＤＳＣＨ内のＩｕｂフレームプロトコル層で止めてもよい。
【００５２】
‐イベント１Ｂの場合サービス提供ＨＳ−ＤＳＣＨは，ステップ３０６に示すようにＮＢＡＰ無線リンク再構成手続によって新しいセルに変更される。
【００５３】
‐イベント１Ｃの場合はステップ３０８に示すように，新規ＲＬはＮＢＡＰ無線リンク設定手続，又はＮＢＡＰ無線リンク追加手続によって設定される。新規無線リンクセット内の新規ＲＬがまた新規サービス提供ＨＳ−ＤＳＣＨセルでもあるときは，新規サービス提供ＨＳ−ＤＳＣＨセルを設定するためにＮＢＡＰ無線リンク設定手続が用いられる。新規サービス提供ＨＳ−ＤＳＣＨセルがほかのＲＬであるときは，新規サービス提供ＨＳ−ＤＳＣＨセルを設定するためにＮＢＡＰ無線リンク再構成手続が用いられる。
【００５４】
‐ＲＮＣは，図３のステップ３１０に示すように，新規サービス提供ＨＳ−ＤＳＣＨセル関連情報を含む図１に示す線３２上のＲＲＣ活性セット更新メッセージを送信する。
【００５５】
‐ＲＮＣは，図３のステップ３１２に示すように，ＵＥから図１の線３４上のＲＲＣ活性セット更新完了メッセージを受信する。
【００５６】
‐ＲＮＣは，ステップ３１４に示すように，ＮＢＡＰ無線リンク削除手続によって削除されたＲＬ（旧サービス提供ＨＳ−ＤＳＣＨセル）を削除する。
【００５７】
‐ＨＳ−ＤＳＣＨに対応付けられたＲＢのユーザプレーン送信は，新規サービス提供ＨＳ−ＤＳＣＨセル内のＩｕｂフレームプロトコル層で開始される。開始は，例えば次に掲げる３つの選択肢のうちどれによって行ってもよい。
【００５８】
１）ステップ３１６に示すように，フレームプロトコルフロー制御が許可を発行し，ＮＢＡＰ同期指示メッセージによってＬ１同期がＲＮＣに指示されているとき。
【００５９】
２）ステップ３１８に示すように，フレームプロトコルフロー制御が許可を発行したときすぐに。
【００６０】
３）ステップ３２０に示すように，フレームプロトコルフロー制御が許可を発行し，所定の時間が過ぎたとき。
【００６１】
さまざまな方法の選択は，次の情報に基づくことができる。
‐新規サービス提供ＨＳ−ＤＳＣＨセルが既存無線リンクセットに含まれるかどうか，又はＮＢＡＰ無線リンク設定メッセージで設定されたものが新規無線リンクかどうか。
‐ＢＴＳスケジューラがＲＬの同期状態を意識するかどうか。
【００６２】
上述のステップは，ＲＲＣ及びＮＢＡＰ信号通知を行うＲＮＣ内の機能ブロックにおいて実行することができる。これら機能エンティティの例は，例えばＲＮＣ  ＲＲＣについてはTS 25.331，第６版，v6.2.0，第４．２章，「ＲＲＣ階層モデル」，図４．２−２，「ＵＴＲＡＮ側ＲＲＣモデル（ＤＳ−ＭＡＰシステム），図４．２−３，「ＵＴＲＡＮ側ＲＲＣモデル（ＤＳ−４１システム），ＮＢＡＰについては，TS 25.430，第６版，v6.1.0，第７章，「Ｉｕｂインタフェースプロトコル構造」，図７，「Ｉｕｂインタフェースプロトコル構造」を参照されたい。フレームプロトコルを処理する機能ブロックは，選択的に影響を受ける。
【００６３】
図４は，イベント１Ａを示すＲＲＣ測定報告メッセージが受信された場合のＲＮＣ内の機能性を示す図であり，そのイベントは活性セットに追加されたセルへのサービス提供ＨＳ−ＤＳＣＨセル変更を起動する。同期手続又は非同期手続のどちらかを用いることができる。無線リンクは，サービス提供ＲＮＣ又はドリフトＲＮＣのどちらかの制御下にある。機能性は，図３のステップ３０２ａと，３０４ａと，３０８ａと，３１０ａと，３１２ａと，３１４ａと，３１６ａと，３１８ａと，３２０ａとに，接尾辞「ａ」を除いて類似の参照符号を有する類似のステップの機能性に準ずる。ただし，旧サービス提供ＨＳ−ＤＳＣＨセル内のＭＡＣ−ｄフローだけが削除され，ＲＬは削除されていないことに注意されたい。
【００６４】
図５はシステムを示しており，ノードＢ５００と関連付けられた多数の相互接続された無線ネットワークコントローラと，多数のユーザ装置１０とを備えるものと理解するのが望ましいが，各種別の１つだけが図示されている。ＲＮＣとノードＢとの間のインタフェース（Ｉｕｂ）はＮＢＡＰ信号通知プロトコルを適用し，ノードＢとＵＥとの間には無線インタフェース（Ｕｕ）が存在する。各無線ネットワークコントローラは，ユーザ装置から図１の線２２上の測定報告を，ノードＢを介して無線ネットワークコントローラで受信する受信器５０２を備え，受信器はその測定報告を処理してＲＮＣ内のほかの機能モジュールに提示するための適切な形態にする。受信器５０２が実行するいくつかのステップは，例えば図３又は図４のそれぞれステップ３０２，３０４又は３０２ａ，３０４ａに全体又は部分的に類似のステップを含む。判断器５０４は，受信器５０２が処理した測定報告に反応して，サービス提供高速専用ダウンリンク共有チャネル（ＨＳ−ＤＳＣＨ）セル変更を行うかどうか，及び活性セット更新を行うかどうかの判断を行う。そのような判断器は，例えばステップ３０２，３０４，又はステップ３０２ａ，３０４ａ，及び／又は図１のステップ２４，２６に関連する判断を行うことができる。また，新規セルの無線リンクが，サービス提供高速専用ダウンリンク共有チャネル無線リンクとして動作するように準備する準備器５０６も含まれる。そのような準備器は，例えば図３のステップ３０６又は３０８，若しくは図４の３０８ａ，若しくは図１のブロック４に記載されたものを実行することができる。準備器が上述の準備を行うと，送信器５０８を起動して，活性セット更新メッセージ３２を図１のブロック５に示すように無線ネットワークコントローラからノードＢを介してユーザ装置へ送信させる。ここで活性セット更新メッセージはサービス提供高速専用ダウンリンク共有チャネルセル変更に関する情報を含む（図３又は４のステップ３１０又は３１０ａを参照されたい）。続いてＲＮＣ２０の受信器５０２は，ユーザ装置からノードＢを介して活性セット更新完了メッセージ３４を受信し，そのメッセージが始動器５２０を起動して新規セルの無線リンクにおけるフレームプロトコルを開始させる（ステップ３１２又は３１２ａを参照されたい）。
【００６５】
更に複数のユーザ装置１０のうち１つも詳細に示す。各ユーザ装置は受信器５３０を備え，無線ネットワークコントローラ２０からノードＢ５００を介して，活性セットに無線リンクを追加又は削除し，若しくはその双方を行う活性セット更新メッセージ３２を受信する。図２Ａのステップ２００を参照されたい。検査器５３２は，例えば図２のステップ２０２，２０４，２０６のように，もしあればサービス提供高速専用ダウンリンク共有チャネル（ＨＳ−ＤＳＣＨ）セル変更に関する情報のために活性セット更新メッセージを検査する。そのようなものがあったときは，構成モジュール５３４がユーザ装置を構成し，例えば図２の各ステップに詳細に示したように，もう１つの又は新規のサービス提供高速専用ダウンリンク共有チャネルセルで動作するようにする。これが実行されると，活性セットの無線リンクを追加，又は削除，若しくはその双方を行うモジュール５３６が，リンクの追加，又は削除，若しくはその双方を行う。次に送信器５３８が活性セット更新完了メッセージ３４を，図２のステップ２９０に示すようにユーザ装置からノードＢを介して無線ネットワークコントローラへ送信する。前にも述べたように，次にＲＮＣ内の受信器５０２は始動器５２０を起動し，新規セルの無線リンク内のフレームプロトコルを開始させる。
【００６６】
図５のＲＮＣに示された機能ブロックのいくつか又はすべては，典型的にはコード化された命令，すなわち計算機可読媒体又は均等な専用ハードウェアを有する集積回路のどちらかに組み込まれた計算機プログラム，若しくはその組合せとして実行される。例えば集積回路５５０は，図５のＲＮＣ２０の判断器５０４及び準備器５０６の機能を実行するために用いることができる。集積回路５５０はそれ自身，ＲＮＣ内の新規ＨＳ−ＤＳＣＨセルへの変更を実行する手段として見ることができる。類似して集積回路５６０は，ユーザ装置１０内で追加及び削除モジュール５３６と，構成モジュール５３４と，検査器モジュール５３２と，の機能を実行するために用いることができる。そのような集積回路５６０は，ＵＥ内で新規ＨＳ−ＤＳＣＨセルへの変更を実行する手段として見ることができる。ノードＢ及びＵＥは，分波器によって無線インタフェースを介した送受信双方を行う単一アンテナを備えているように示されているが，もちろん別々の送信アンテナ及び受信アンテナがあってもよい。
【００６７】
本発明をその最良の形態の実施例に関して示し説明したが，当業者であれば本発明の精神及び範囲から逸脱することなくその形態及び詳細において前述及びさまざまなほかの変更と，省略と，追加と，を実施可能であることを理解されたい。
【図面の簡単な説明】
【００６８】
【図１】本発明による結合した活性セット更新及びノードＢ内サービス提供ＨＳ−ＤＳＣＨセル変更に関するメッセージシーケンスを示す図である。
【図２】図２Ａと，２Ｂと，２Ｃとをどのように結合して，全体で本発明による結合した活性セット更新（ＡＳＵ）及びサービス提供ＨＳ−ＤＳＣＨセル変更手続を示すかを示す図である。
【図２Ａ】本発明による結合した活性セット更新（ＡＳＵ）及びサービス提供ＨＳ−ＤＳＣＨセル変更手続の一部を示す図である。
【図２Ｂ】本発明による結合した活性セット更新（ＡＳＵ）及びサービス提供ＨＳ−ＤＳＣＨセル変更手続の一部を示す図である。
【図２Ｃ】本発明による結合した活性セット更新（ＡＳＵ）及びサービス提供ＨＳ−ＤＳＣＨセル変更手続の一部を示す図である。
【図３】本発明によって活性セットからサービス提供ＨＳ−ＤＳＣＨセルを削除する，１Ｂイベント又は１Ｃイベントの場合のＲＮＣ内の機能性を示す図である。
【図４】本発明によって活性セットに追加したセルへのサービス提供ＨＳ−ＤＳＣＨセル変更を起動する，１Ａイベントの場合のＲＮＣ内の機能性を示す図である。
【図５】本発明によるノードＢと関連付けられた複数のＲＮＣ及び複数のＵＥを備えたシステムであって，各種別のうち１つだけを示す図である。
【図１】
2008514151.tif 000003
【図２】
2008514151.tif 000004
【図２Ａ】
2008514151.tif 000005
【図２Ｂ】
2008514151.tif 000006
【図２Ｃ】
2008514151.tif 000007
【図３】
2008514151.tif 000008
【図４】
2008514151.tif 000009
【図５】
2008514151.tif 000010
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
無線通信システムのネットワーク要素（２０）において実行する方法であって，
ユーザ装置のためにサービス提供高速専用共有チャネルセル変更を行うことを判断するステップ（２４，２６）と，
ネットワーク要素と前記無線通信システムの前記ユーザ装置との間の無線インタフェースを介して，活性セット更新メッセージによって，前記サービス提供高速専用共有チャネルセル変更に関する情報を伝送するステップ（３２）と，
を有する方法。
【請求項２】
前記無線通信システムの前記ネットワーク要素（１０）において実行する方法であって，
前記ネットワーク要素においてユーザ装置（１０）から測定報告（２２）を受信するステップ（３０２，３０２ａ）と，
前記サービス提供高速専用共有チャネルセル変更及び活性セット更新を行うために，前記ネットワーク要素において判断（２４，２６）を行うことによって，前記の判断ステップを実行するステップと，
新規セルにおいて，無線リンク（３０６，３０８，３０８ａ）がサービス提供高速専用共有チャネル無線リンクとして動作するように準備するステップと，
前記ネットワーク要素から前記ユーザ装置へ，前記活性セット更新メッセージ（３２）を送信することによって前記の伝送ステップを実行し，前記活性セット更新メッセージは高速専用共有チャネルセル変更に関する情報を含むステップと，
前記無線ネットワークコントローラにおいて，前記ユーザ装置から活性セット更新完了メッセージ（３４）を受信するステップと，
前記新規セルの無線リンクにおいて，フレームプロトコル（３１６，３１８，３２０，３１６ａ，３１８ａ，３２０ａ）を開始するステップと，
を更に有する請求項１に記載の方法。
【請求項３】
ネットワーク要素であって，
ユーザ装置のために高速専用共有チャネルセル変更を行うことを判断する手段（５０４）と，
前記ネットワーク要素と前記ユーザ装置との間の無線インタフェースを介して，活性セット更新メッセージによって，前記高速専用共有チャネルセル変更に関連する情報を伝送する手段（５０８）と，
を備えるネットワーク要素（２０）。
【請求項４】
ネットワーク要素であって，
前記ネットワーク要素において，ユーザ装置から測定報告を受信する受信器（５０２）であって，前記判断する手段（５４０）は，前記ネットワーク要素において高速専用共有チャネルセル変更及び活性セット更新を行う判断を行うためのものとする受信器と，
新規セルにおいて無線リンクを高速専用ダウンリンク共有チャネル無線リンクとして動作させるように準備する準備器（５０６）であって，前記の伝送手段は前記ネットワーク要素から前記ユーザ装置へ前記活性セット更新メッセージを送信する送信器（５０８）を備え，前記活性セット更新メッセージは前記高速専用共有チャネルセル変更についての情報を含む準備器と，
前記ネットワーク要素において，前記ユーザ装置から活性セット更新完了メッセージ（３４）を受信する前記受信器と，
前記新規セルの無線リンクにおいてフレームプロトコルを開始させる始動器（５２０）と，
を更に備える請求項３に記載のネットワーク要素。
【請求項５】
ユーザ装置において実行する方法であって，
サービス提供高速専用共有チャネルセル変更に関する情報を有する活性セット更新メッセージ（３２）を受信するステップ（２００）と，
前記ユーザ装置が新規高速共有チャネルセルで動作するように構成するステップのために，前記情報のための前記活性セット更新メッセージを検査するステップ（５３２）と，
を有する方法。
【請求項６】
前記ユーザ装置において実行する方法であって，
前記活性セットに無線リンクを追加する，又は削除する，若しくは双方を行う前記活性セット更新メッセージ（３２）を無線ネットワークコントローラ（２０）から受信するステップ（２００）であって，前記の検査ステップは，前記サービス提供高速専用共有チャネルセル変更に関する情報のために前記活性セット更新メッセージを検査するステップ（２１０，２１０ａ，２１０ｃ）を含み，前記の構成ステップは，前記の新規サービス提供高速専用共有チャネルセルで動作するように前記ユーザ装置を構成するステップ（２１６，２１６ａ，２１６ｃ）を含む受信ステップと，
活性セットに無線リンクを追加するステップ（２０８，２０８ａ，２０８ｂ），又は削除するステップ（２２４，２２４ｂ，２２４ｃ），若しくは双方を行うステップと，
前記ユーザ装置から前記無線ネットワークコントローラへ活性セット更新完了メッセージ（３４）を送信するステップ（２９０）と，
を更に有する請求項５に記載の方法。
【請求項７】
ユーザ装置であって，
サービス提供高速専用共有チャネルセル変更に関する情報を有する活性セット更新メッセージ（３２）を受信する手段（５３０）と，
前記活性セット更新メッセージに応答して前記ユーザ装置において活性セット更新を実行する手段（５６０）と，
活性セット更新完了メッセージ（３４）を送信する手段（５３８）と，
を備えるユーザ装置。
【請求項８】
ユーザ装置であって，
前記活性セット更新メッセージは，前記活性セットに無線リンクを追加する，又は削除する，若しくは双方を行う無線ネットワークコントローラからのメッセージであり，
前記活性セット更新を実行する前記の手段は，
サービス提供高速専用ダウンリンク共有チャネル（ＨＳ−ＤＳＣＨ）セル変更に関する情報のために前記活性セット更新メッセージを検査する検査器（５３２）と，
新規サービス提供高速専用ダウンリンク共有チャネルセルで動作するように前記ユーザ装置を構成する構成モジュール（５３４）と，
活性セットに無線リンクを追加する，又は削除する，若しくは双方を行う追加及び削除モジュール（５３６）と，
を備える請求項７に記載のユーザ装置（１０）。
【請求項９】
方法であって，
サービス提供高速専用共有チャネルセル変更に関する情報を，ネットワーク要素（２０）からユーザ装置（１０）へ，無線インタフェースを介して活性セット更新メッセージによって伝送するステップ（３２）と，
前記セル変更完了に関する情報を，前記ユーザ装置から前記ネットワーク要素へ，無線インタフェースを介して伝送するステップ（３４）と，
を有する方法。
【請求項１０】
システムであって，
サービス提供高速専用共有チャネルセル変更に関する情報を，ネットワーク要素からユーザ装置へ，無線インタフェースを介して活性セット更新メッセージによって伝送する手段と，
前記セル変更完了に関する情報を，前記ユーザ装置から前記ネットワーク要素へ，無線インタフェースを介して伝送する手段と，
を備えるシステム。
【請求項１１】
システムであって，
多くの相互接続された無線ネットワークコントローラ（２０）を備え，各無線ネットワークコントローラは，
前記無線ネットワークコントローラにおいてユーザ装置（１０）から測定報告（２２）を受信する受信器（５０２）と，
前記無線ネットワークコントローラにおいて高速専用共有チャネルセル変更及び活性セット更新を行う判断を行う判断器（５０４）と，
新規セルにおいて無線リンクが高速専用ダウンリンク共有チャネル無線リンクとして動作するように準備する準備器（５０６）であって，前記ネットワーク要素から前記ユーザ装置へ前記活性セット更新メッセージの形態で情報を伝送する前記の伝送手段（５０８）も同様に備え，前記活性セット更新メッセージは前記高速専用共有チャネルセル変更についての情報を含む準備器と，
前記ユーザ装置から活性セット更新完了メッセージ（３４）として前記セル変更の完了に関する前記情報も受信する前記受信器と，
前記新規セルの無線リンクにおいてフレームプロトコルを開始させる始動器（５２０）と，
を備える請求項１０に記載のシステム。
【請求項１２】
システムであって複数のユーザ装置（１０）を更に備え，各ユーザ装置は，
前記無線ネットワークコントローラから，前記活性セットに無線リンクを追加する，又は削除する，若しくは双方を行う前記活性セット更新メッセージ（３２）を受信する受信器（５３０）と，
サービス提供高速専用ダウンリンク共有チャネル（ＨＳ−ＤＳＣＨ）セル変更に関する情報のための前記活性セット更新メッセージを検査する検査器（５３２）と，
前記ユーザ装置が新規サービス提供高速専用共有チャネルセルで動作するように構成する構成器（５３４）と，
活性セットに無線リンクを追加する，又は削除する，若しくは双方を行う追加及び削除モジュール（５３６）と，
前記ユーザ装置から前記無線ネットワークコントローラへ，前記活性セット更新完了メッセージを送信する送信器（５３８）と，
を備える請求項１１に記載のシステム。
【請求項１３】
ユーザ装置（１０）において用いるデバイスであって，
サービス提供高速専用共有チャネルセル変更に関する情報のための活性セット更新メッセージ（３２）を検査する手段（５３２）と，
前記ユーザ装置が用いる活性セットにセルを追加する，又は削除する，若しくは双方を行う手段と，
を備えるデバイス（５６０）。
【請求項１４】
前記ユーザ装置が，もう１つのサービス提供高速専用共有チャネルセルで動作するように構成する手段（５３４）を更に備える請求項１３に記載のデバイス。
【請求項１５】
ネットワーク要素（２０）において用いるデバイスであって，
サービス提供高速専用共有チャネルセル変更を行うように判断する手段（５０４）と，
セルが前記サービス提供高速専用共有チャネルセルとして動作するように準備する手段（５０６）と，
を備えるデバイス（５５０）。
【請求項１６】
ネットワーク要素とユーザ装置との間の無線インタフェースを介して活性セット更新メッセージによって，サービス提供高速専用共有チャネルセル変更に関する情報を伝送する（３２）際に用いるための，計算機可読媒体に少なくとも一時的に格納されるデータ構造。
【請求項１７】
請求項１に記載の各ステップを実行するための計算機可読媒体に格納された計算機プログラム。
【請求項１８】
請求項５に記載の各ステップを実行するための計算機可読媒体に格納された計算機プログラム。
【請求項１９】
請求項１に記載の各ステップを実行するための集積回路。
【請求項２０】
請求項５に記載の各ステップを実行するための集積回路。
【手続補正書】
【提出日】平成18年5月2日(2006.5.2)
【手続補正１】
【補正対象書類名】図面
【補正対象項目名】図２Ａ
【補正方法】変更
【補正の内容】
【図２Ａ】
2008514151.tif 000011
【手続補正書】
【提出日】平成18年10月26日(2006.10.26)
【手続補正１】
【補正対象書類名】特許請求の範囲
【補正対象項目名】請求項１５
【補正方法】変更
【補正の内容】
【請求項１５】
ネットワーク要素（２０）において用いるデバイスであって，
サービス提供高速専用共有チャネルセル変更を行うように判断する手段（５０４）と，
前記ネットワーク要素とユーザ装置との間の無線インタフェースを介して伝送する活性セット更新メッセージによって，セルが前記サービス提供高速専用共有チャネルセルとして動作するように通知する準備をする手段（５０６）と，
を備えるデバイス（５５０）。
【国際調査報告】
2008514151.tif 000012
2008514151.tif 000013
2008514151.tif 000014